(57)【要約】【課題】円滑なスライド操作性を確保し、かつ、低コスト化に寄与しつつ、水分や塵埃等の侵入を抑制し、防水性及び防塵性を向上させる。【解決手段】上部筐体４の開口の縁部に形成された防水リブと、下部筐体の開口の縁部に形成された防水リブとが、上部筐体４の裏面と、下部筐体の表面との間の僅かな隙間から侵入してきた異物が、それぞれ、両開口に入り込むのを防ぐように配置され、上部筐体４と下部筐体との僅かな隙間から、異物が侵入してきたとしても、防水リブによって、それぞれ、両開口を介した上部筐体４及び下部筐体の内部への異物の侵入を阻止することができる。【選択図】図１
2006157465.tif 000002
【特許請求の範囲】
【請求項１】
第１の筐体及び第２の筐体が、スライド自在に結合されている携帯型電子機器の防水構造であって、
前記第１の筐体に実装された第１の回路部と前記第２の筐体に実装された第２の回路部とがフレキシブル配線板によって電気的に接続され、該フレキシブル配線板が、前記第１の筐体及び前記第２の筐体の互いに対向する側にそれぞれ形成された第１の開口及び第２の開口から引き出され、
前記第１の開口及び前記第２の開口の縁部には、それぞれ、前記第１の開口及び前記第２の開口から、前記第１の筐体又は前記第２の筐体の中に液体が入るのを防ぐための第１の障壁部及び第２の障壁部が、前記第１の開口及び前記第２の開口を囲むように形成されている
ことを特徴とする携帯型電子機器の防水構造。
【請求項２】
前記第１の障壁部及び前記第２の障壁部は、それぞれ、前記第２の筐体及び前記第１の筐体に対して非接触状態を保つように形成されていることを特徴とする請求項１記載の携帯型電子機器の防水構造。
【請求項３】
前記第１の障壁部及び前記第２の障壁部の高さは、液体がそれぞれ前記第１の障壁部及び前記第２の障壁部を越えて前記第１の開口及び前記第２の開口に達することを防ぐための所定の高さに設定されていることを特徴とする請求項１又は２記載の携帯型電子機器の防水構造。
【請求項４】
前記第１の障壁部及び前記第２の障壁部の先端は、それぞれ前記第１の開口及び前記第２の開口に対して外向きに屈曲するように形成されていることを特徴とする請求項１、２又は３記載の携帯型電子機器の防水構造。
【請求項５】
前記第１の障壁部及び前記第２の障壁部は、前記第１の開口及び前記第２の開口の縁部に多重に形成された第１の環状障壁群及び第２の環状障壁群からなること特徴とする請求項１乃至４のいずれか１に記載の携帯型電子機器の防水構造。
【請求項６】
前記第１の障壁部及び前記第２の障壁部の外側には、前記第１の障壁部及び前記第２の障壁部を囲むように、それぞれ第１の環状溝部及び第２の環状溝部が形成されていることを特徴とする請求項１乃至５のいずれか１に記載の携帯型電子機器の防水構造。
【請求項７】
前記第１の環状溝部及び前記第２の環状溝部の所定の部位から分岐して前記第１の筐体及び前記第２の筐体の周縁部まで、それぞれ第１の分岐溝部及び第２の分岐溝部が形成されていることを特徴とする請求項６記載の携帯型電子機器の防水構造。
【請求項８】
請求項１乃至７のいずれか１に記載の携帯型電子機器の防水構造を備えたことを特徴とする携帯型電子機器。
【発明の詳細な説明】
【技術分野】
【０００１】
この発明は、例えば、上部筐体と下部筐体とが互いにスライド自在に結合されている携帯型電子機器の防水構造及び該構造を備えた携帯型電子機器に関する。
【背景技術】
【０００２】
従来より、携帯型電子機器としての携帯電話機は、その筐体が一体型（ストレートタイプ）のもののほか、小型化のために、２つのユニットから構成して、両ユニットを互いに折畳可能なように結合した折畳式のものや、互いにスライド自在に結合したスライド式のものも普及している。
これらのうち、スライド式の携帯電話機は、例えば、下部筐体に対して、表示部等が実装された上部筐体が長さ方向に沿ってスライド変位可能とされ、両筐体が重なるように縮退させてコンパクト化した状態で携帯され、例えば通話時には、両筐体が互いに離間するように伸展させて使用される。
ここで、上部筐体に実装された配線基板と下部筐体に実装された配線基板とは、両筐体の互いに対向する側に形成された開口からＦＰＣ（Flexible Printed Circuit）が引き出され、このＦＰＣを介して電気的に接続されている（例えば、特許文献１参照。）。
【０００３】
防水及び防塵を完全に行うためには、上部筐体と下部筐体との間に隙間がない状態で、両筐体が互いにスライドして変位することが好ましいが、実際には、円滑なスライド操作のためには、僅かな隙間が必須である。
図２８は、従来のスライド型の携帯電話機の構成を示す正面図であって、伸張された状態を示す図、図２９は、同携帯電話機の構成を示す断面図であって、縮退された状態を示す図、図３０は、図２９のＰ−Ｐ線に沿った断面図、また、図３１は、図２８のＱ−Ｑ線に沿った断面図である。
この携帯電話機１０１は、図２８乃至図３１に示すように、上部ユニット１０２の上部筐体１０４と下部ユニット１０３の下部筐体１１３とがスライド自在に相互に結合されている。
【０００４】
上部ユニット１０２は、扁平な上部筐体１０４と、それぞれ、上部筐体１０４に実装され、液晶表示装置等からなる表示部１０５と、縮退状態で操作を行うための副操作部１０６と、受話部１０７とを有してなっている。
また、上部ユニット２の上部筐体１０４内には、表示部１０５や副操作部１０６等を構成する各種電子部品が搭載された上部配線基板１０８が実装されている。
また、上部筐体１０４の裏面側（下部ユニット１０３側）には、ＦＰＣ１１８を引き出すための開口１０９が形成されている。
【０００５】
また、下部ユニット１０３は、扁平な下部筐体１１３と、下部筐体１１３にそれぞれ実装され、当該携帯電話機本体の構成各部を制御する制御部と、制御部が実行する処理プログラムや各種データ等を記憶するための記憶部と、伸展時に操作面が露出され、数字や文字の入力操作等を行うための多数のキーボタン等を有する主操作部１１４と、無線電波の送受信を行うアンテナと、アンテナを介して無線電波を送受信し所定のプロトコルに従って通話やデータ通信を行うために用いられる無線通信部と、送話音声を入力するマイクロフォンからなる送話部とを有してなっている。
また、下部ユニット１０３の下部筐体１１３内には、制御部や主操作部１１４、無線通信部等を構成する各種電子部品が搭載された下部配線基板１１６が実装されている。
また、下部筐体１１３の表面側（上部ユニット１０２側）には、ＦＰＣ１１８を引き出すための開口１１７が形成されている。
【０００６】
上部ユニット１０２と下部ユニット１０３とは、ＦＰＣ１１８を介して、電気的に接続されている。すなわち、上部ユニット１０２を構成する上部配線基板１０８の裏面に取り付けられたコネクタ１１９と、下部ユニット３を構成する下部配線基板１１６の表面側に取り付けられたコネクタ１２１とにＦＰＣ１１８の両端部が接続される。
ＦＰＣ１１８は、絶縁性及び可撓性を有するベースフィルムに所定の回路パターンが形成されてなり、断面略Ｕ字状に湾曲した状態で折り返されて配置され、摺動と共にこの折返箇所が連続的に変化することとなる。
【０００７】
上部筐体１０４と下部筐体１１３とは、図３０に示すように、スライド機構１２２によってスライド自在に相互に結合されている。
スライド機構１２２は、上部筐体１０４の裏面側の両側に摺動方向に沿って取り付けられた断面Ｔ字状の長尺な一対の金属製の摺動部材１２３，１２３と、下部筐体１１３の表面側の両側に摺動方向に沿って取り付けられ、滑面を有する断面コ字状の溝部１２４ａが形成された長尺な一対の金属製の案内部材１２４，１２４とを有してなっている。摺動部材１２３は、フランジ部１２３ａと、脚部１２３ｂとを有している。
【０００８】
しかしながら、面接触を回避して円滑なスライド操作性を確保するための上部筐体１０４と下部筐体１１３との間の僅かな隙間の周縁部から水分や塵埃等の異物が入り込み、ＦＰＣ１１８を引き出すために上部筐体１０４及び下部筐体１１３に形成された開口１０９，１１７に達して、これらの開口１０９，１１７から上部筐体１０４及び下部筐体１１３の内部に侵入することがあり、上部配線基板１０８や下部配線基板１１６にまで達して、最悪の場合は故障を引き起こしてしまうという問題がある。
【０００９】
最近は、高機能化に伴って、携帯電話機のサイズが大きくなっており、このため、必要なスライド量も大きくなり、ＦＰＣの可動範囲も拡大されて、上部筐体及び下部筐体に形成されるＦＰＣを引き出すための開口も大きくせざるを得ないので、上部筐体及び下部筐体の内部への水分や塵埃の侵入の可能性も高くなり、故障の危険性も高まってしまう。
一般には、電子機器において、可動部位（例えば、操作部等）の防水のためには、例えば、筐体の裏面側に環状（枠状）に突起部（リブ）を形成し、フランジ部が形成された例えば操作部材を囲むように配置して、この操作部材より下方への水分の侵入を抑制するように工夫がなされている（例えば、特許文献２参照。）。
【００１０】
スライド操作が行われ、かつ、防水性を要する部位には、突起部によって変位が妨げられないようにする必要があり、頻繁に操作が行われないような部位（例えば、電池ポケットの蓋部）には、例えば、筐体に環状の防水用のパッキン部材を配置し、裏面側に環状に突起部を形成した蓋部等を押し付けて、防水性を確保する工夫もなされる（例えば、特許文献３参照。）。
しかしながら、突起部をパッキン部材上を摺動させる際に、摩擦力によって、円滑にスライド操作を行うことができないために、頻繁に操作が行われる部位には適用できないという問題がある。
このため、パッキン部材に代えて、極細繊維からなる不織布を介在させて、異物の侵入を抑制すると共に、かつ、スライド操作時の摩擦抵抗を低減する技術が提案されている（例えば、特許文献４参照。）。
【００１１】
【特許文献１】特開２００３−３１９０４２号公報
【特許文献２】特開２００１−３０７５８４号公報
【特許文献３】特開平１１−２５９４０号公報
【特許文献４】特開２００４−１５３５９７号公報
【発明の開示】
【発明が解決しようとする課題】
【００１２】
解決しようとする問題点は、上記従来技術では、不織布等の部材を用いる必要があり、材料費等のために、コストが嵩むという点である。
また、不織布等を用いると、経年変化によって、防水機能も低下するために、交換する必要が生じ、ユーザが知らない間に、防水機能が低下していることもある。
【００１３】
この発明は、上述の事情に鑑みてなされたもので、円滑なスライド操作性を確保し、かつ、低コスト化に寄与しつつ、水分や塵埃等の入込みを抑制し、防水性及び防塵性を向上させることができる携帯型電子機器の防水構造及び該構造を備えた携帯型電子機器を提供することを目的としている。
【課題を解決するための手段】
【００１４】
上記課題を解決するために、請求項１記載の発明は、第１の筐体及び第２の筐体が、スライド自在に結合されている携帯型電子機器の防水構造に係り、上記第１の筐体に実装された第１の回路部と上記第２の筐体に実装された第２の回路部とがフレキシブル配線板によって電気的に接続され、該フレキシブル配線板が、上記第１の筐体及び上記第２の筐体の互いに対向する側にそれぞれ形成された第１の開口及び第２の開口から引き出され、上記第１の開口及び上記第２の開口の縁部には、それぞれ、上記第１の開口及び上記第２の開口から、上記第１の筐体又は上記第２の筐体の中に液体が入るのを防ぐための第１の障壁部及び第２の障壁部が、上記第１の開口及び上記第２の開口を囲むように形成されていることを特徴としている。
【００１５】
また、請求項２記載の発明は、請求項１記載の携帯型電子機器の防水構造に係り、上記第１の障壁部及び上記第２の障壁部は、それぞれ、上記第２の筐体及び上記第１の筐体に対して非接触状態を保つように形成されていることを特徴としている。
【００１６】
また、請求項３記載の発明は、請求項１又は２記載の携帯型電子機器の防水構造に係り、上記第１の障壁部及び上記第２の障壁部の高さは、液体がそれぞれ上記第１の障壁部及び上記第２の障壁部を越えて上記第１の開口及び上記第２の開口に達することを防ぐための所定の高さに設定されていることを特徴としている。
【００１７】
また、請求項４記載の発明は、請求項１、２又は３記載の携帯型電子機器の防水構造に係り、上記第１の障壁部及び上記第２の障壁部の先端は、それぞれ上記第１の開口及び上記第２の開口に対して外向きに屈曲するように形成されていることを特徴としている。
【００１８】
また、請求項５記載の発明は、請求項１乃至４のいずれか１に記載の携帯型電子機器の防水構造に係り、上記第１の障壁部及び上記第２の障壁部は、上記第１の開口及び上記第２の開口の縁部に多重に形成された第１の環状障壁群及び第２の環状障壁群からなること特徴としている。
【００１９】
また、請求項６記載の発明は、請求項１乃至５のいずれか１に記載の携帯型電子機器の防水構造に係り、上記第１の障壁部及び上記第２の障壁部の外側には、上記第１の障壁部及び上記第２の障壁部を囲むように、それぞれ第１の環状溝部及び第２の環状溝部が形成されていることを特徴としている。
【００２０】
また、請求項７記載の発明は、請求項６記載の携帯型電子機器の防水構造に係り、上記第１の環状溝部及び上記第２の環状溝部の所定の部位から分岐して上記第１の筐体及び上記第２の筐体の周縁部まで、それぞれ第１の分岐溝部及び第２の分岐溝部が形成されていることを特徴としている。
【００２１】
また、請求項８記載の発明に係る携帯型電子機器は、請求項１乃至７のいずれか１に記載の携帯型電子機器の防水構造を備えたことを特徴としている。
【発明の効果】
【００２２】
この発明の構成によれば、第１の開口及び第２の開口の縁部には、それぞれ、第１の開口及び第２の開口から、第１の筐体及び第２の筐体の内部への液体の浸入を防ぐための第１の障壁部及び第２の障壁部が、第１の開口及び第２の開口を囲むように形成されているので、円滑なスライド操作性を確保し、かつ、低コスト化に寄与しつつ、水分や塵埃等の異物の侵入を抑制し、防水性及び防塵性を向上させることができる。
また、従来技術のように、例えば、ゴム等の弾性体からなるパッキン部材や、不織布が劣化した場合に交換する必要もなく、防水機能及び防塵機能を維持することができ、信頼性を向上させることができる。
【発明を実施するための最良の形態】
【００２３】
第１の開口及び第２の開口の縁部には、それぞれ、第１の開口及び第２の開口から、第１の筐体及び第２の筐体の内部への液体の浸入を防ぐための第１の障壁部及び第２の障壁部が、第１の開口及び第２の開口を囲むように形成されていることによって、円滑なスライド操作性を確保し、かつ、低コスト化に寄与しつつ、水分や塵埃等の異物の侵入を抑制し、防水性及び防塵性を向上させるという目的を実現した。
【実施例１】
【００２４】
図１は、この発明の第１実施例であるスライド型の携帯電話機の構成を示す正面図であって、縮退された状態を示す図、図２は、同携帯電話機の構成を示す側面図であって、縮退された状態を示す図、図３は、同携帯電話機の構成を示す正面図であって、伸展された状態を示す図、図４は、同携帯電話機の構成を示す側面図であって、伸展された状態を示す図、図５は、同携帯電話機の構成を示すブロック図、図６は、図１のＡ−Ａ線に沿った断面図、図７は、図１のＢ−Ｂ線に沿った断面図、図８は、図３のＣ−Ｃ線に沿った断面図、図９は、図６のＦ部を拡大して示す拡大断面図、図１０は、図６のＧ部を拡大して示す拡大断面図、図１１は、図２のＤ−Ｄ線に沿った断面図、また、図１２は、図２のＥ−Ｅ線に沿った断面図である。
【００２５】
この例の携帯電話機１は、図１乃至図８に示すように、上部ユニット２と下部ユニット３とがスライド自在に相互に結合されて構成されている。
上部ユニット２は、扁平な上部筐体４と、それぞれ、上部筐体４に実装され、液晶表示装置等からなり例えば待受画面や機能設定画面等が表示される表示部５と、縮退状態で操作を行うための副操作部６と、受話音声を出力するスピーカからなる受話部７とを有してなっている。なお、表示部５には、タッチパネルが組み込まれている。
【００２６】
また、上部ユニット２の上部筐体４内には、図６乃至図８に示すように、表示部５や副操作部６等を構成する各種電子部品が搭載された上部配線基板８が実装されている。
また、上部筐体４の裏面側（下部ユニット３側）には、フレキシブル配線板としてのＦＰＣ２２を引き出すための開口９が形成されている。また、開口９の縁部には、開口９を囲むように環状に防水リブ１１が下部筐体１３へ向けて突出した状態で形成されている。
なお、開口９の下端縁側（下部ユニット３の送話部側）の防水リブ１１の手前の領域には凹部４ａが形成され、防水リブ１１の所定の高さが確保される。
【００２７】
また、下部ユニット３は、図２乃至図８に示すように、扁平な下部筐体１３と、下部筐体１３にそれぞれ実装され、当該携帯電話機本体の構成各部を制御する制御部１４と、制御部１４が実行する処理プログラムや各種データ等を記憶するための記憶部１５と、伸展時に操作面が露出され、数字や文字の入力操作等を行うための多数のキーボタン等を有する主操作部１６と、無線電波の送受信を行うアンテナ１７と、アンテナ１７を介して無線電波を送受信し所定のプロトコルに従って通話やデータ通信を行うために用いられる無線通信部１８と、送話音声を入力するマイクロフォンからなる送話部１９とを有してなっている。
【００２８】
また、下部ユニット３の下部筐体１３内には、制御部１４や主操作部１６、無線通信部１８等を構成する各種電子部品が搭載された下部配線基板２１が実装されている。
また、下部筐体１３の表面側（上部ユニット２側）には、ＦＰＣ２２を引き出すための開口２３が形成されている。また、開口２３の縁部には、開口２３を囲むように環状に防水リブ２４が上部筐体４へ向けて突出した状態で形成されている。
【００２９】
なお、開口２３の下端縁側（送話部側）の防水リブ２４の手前の領域には凹部１３ａが形成され、防水リブ２４の所定の高さが確保される。すなわち、開口２３の下端縁側では、防水リブ２４の先端が他の箇所よりも低い位置に（この例では、下部筐体１３の表面の開口２３近傍の領域以外のリブ等が形成されていない領域と略同じ高さとなるように）形成されている。これによって、ＦＰＣ２２との干渉の回避もなされる。
【００３０】
上部ユニット２と下部ユニット３とは、ＦＰＣ２２を介して、電気的に接続されている。すなわち、上部ユニット２を構成する上部配線基板８の裏面（下部ユニット３側）に取り付けられたコネクタ２６と、下部ユニット３を構成する下部配線基板２１の表面（上部ユニット２側）に取り付けられたコネクタ２７とにＦＰＣ２２の両端部が接続される。
ＦＰＣ２２は、絶縁性及び可撓性を有するベースフィルムに所定の回路パターンが形成されてなり、断面略Ｕ字状に湾曲した状態で折り返されて配置され、摺動と共にこの折返箇所が連続的に変化することとなる。
【００３１】
なお、防水リブ１１，２４は、上部筐体４と下部筐体１３との摺動変位、及びこの摺動変位に伴うＦＰＣ２２の変形を妨げない態様に、それぞれ、上部筐体４と下部筐体１３に形成されている。
上部筐体４と下部筐体１３とは、図７、図１１及び図１２に示すように、スライド機構２８によってスライド自在に相互に結合されている。
【００３２】
スライド機構２８は、上部筐体４の裏面側の両側部にスライド方向（伸縮方向）に沿って取り付けられた断面Ｔ字状の長尺な一対の金属製の摺動部材２９，２９と、下部筐体１３の表面側の両側部の摺動部材２９に対応する位置に摺動方向に沿って取り付けられ、断面コ字状の溝部３１ａが形成された長尺な一対の金属製の案内部材３１，３１とを有してなっている。
摺動部材２９は、フランジ部２９ａと、脚部２９ｂとを有し、スライド操作時には、上部筐体４と共に変位して、脚部２９ｂの下端面が、溝部３１ａの底面上を殆ど摩擦抵抗なしに滑ることによって、携帯電話機１は、縮退状態又は伸展状態とされる。
また、摺動部材２９は、側方から水分等の浸入を防ぐ機能や、上部筐体４と下部筐体１３との互いに対向する面を隔てる所定の僅かな隙間を保つためのスペーサ機能も担っている。
【００３３】
この例の防水構造３１は、開口９が形成された上部筐体４の裏面と、開口２３が形成された下部筐体１３の表面との間の僅かな隙間の周縁部から水分や塵埃等の異物が侵入してきた場合に、この異物が、それぞれ、開口９、開口２３に入り込むのを防ぐように、開口９、開口２３の縁部に開口９、開口２３を囲むように、それぞれ、防水リブ１１、防水リブ２４が円環状に設けられ、かつ、防水リブ１１及び防水リブ２４の先端が、それぞれ、下部筐体１３の上記表面及び上部筐体４の上記裏面に接触しないように、形成されて概略構成されている。
【００３４】
これにより、上部筐体４と下部筐体１３との僅かな隙間から、異物が侵入してきたとしても、縮退状態及び伸展状態のいずれの場合でも、異物から見て開口９及び開口２３の手前に形成されている防水リブ１１及び防水リブ２４によって、それぞれ、開口９及び開口２３から上部筐体４及び下部筐体１３の内部への侵入が阻止される。ここで、防水リブ１１及び防水リブ２４が、下部筐体１３及び上部筐体４に接触することはないので、円滑なスライド操作の妨げになることもない。
なお、特に側方から侵入した異物は、まず、スライド機構２８を構成する摺動部材２９の脚部２９ｂによっても阻止される。
【００３５】
制御部１４は、ＣＰＵ（中央処理装置）等からなり、例えば、所定の電話番号に対する発呼処理等を行うための通信制御プログラムや、主操作部１６の各種キーボタンからの入力情報を処理する操作制御プログラム、表示部５を制御するための表示制御プログラム等の記憶部１５に記憶された各種処理プログラムを実行し、記憶部１５に確保された各種レジスタやフラグを用いて、構成各部を制御し、通信制御処理や、操作制御処理、表示制御処理等を行う。
記憶部１５は、ＲＯＭ、ＲＡＭ等の半導体メモリからなり、記憶部１５には、制御部１４が実行する通信制御処理プログラムや、操作制御プログラム、表示制御プログラム等の各種処理プログラムや、各機能の設定情報や通信履歴情報、電話帳情報等の各種情報が記憶されていると共に、制御部１４がプログラム実行時に用いる各種レジスタやフラグが確保されている。
【００３６】
主操作部１６は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部５に表示された表示画面状のカーソルを上下左右方向へ移動させるためのカーソルキーと、例えば数字等を入力するためのテンキー群とを有している。
無線通信部１８は、ＲＦ回路や、変復調回路、ベースバンド処理回路等からなり、音声やデータを変調してアンテナ１７を介して無線電波として送信すると共に、無線電波をアンテナ１７を介して受信して音声やデータに復調し、所定のプロトコルに従って通話やデータ通信を行うために用いられる。
【００３７】
次に、図６乃至図１０を参照してこの例の携帯電話機１の動作について説明する。
縮退状態では、上部筐体４と下部筐体１３との間の隙間のうち、例えば、下方（下部ユニット３の送話部側）から水滴や塵埃等の異物が内部へ向けて侵入してきた場合は、まず、防水リブ１１の手前の凹部４ａが形成された箇所に達し、この後、所定の高さの防水リブ１１によって、開口９，２３への移動を遮られる（図６参照）。
防水リブ１１によっても遮られず開口２３へ向かう異物は、防水リブ２４の手前の凹部１３ａが形成された箇所に達し、この後、所定の高さの防水リブ２４によって、開口２３への移動を遮られる（図６及び図１０参照）。
【００３８】
また、上方（下部ユニット３の受話部側）から異物が内部へ向けて侵入してきた場合は、所定の高さの防水リブ１１，２４によって遮られて、開口９，２３への移動を遮られる（図６及び図９参照）。
また、左右側方から異物が内部へ向けて侵入してきた場合は、まず、スライド機構２８を構成する摺動部材２９の脚部２９ｂによって、開口９，２３への移動を遮られる（図７参照）。脚部２９ｂによっても遮られず開口９，２３へ向かう異物は、所定の高さの防水リブ２４によって、開口９，２３への移動を遮られる（図６参照）。
【００３９】
伸展状態では、上部筐体４と下部筐体１３との間の隙間のうち、例えば、下方（下部ユニット３の送話部側）から異物が内部へ向けて侵入してきた場合は、防水リブ２４の手前の凹部２３ａが形成された箇所に達し、この後、所定の高さの防水リブ２４によって、開口２３への移動を遮られる（図８参照）。
防水リブ１１によっても遮られず開口２３へ向かう異物は、防水リブ２４の手前の凹部１３ａが形成された箇所に達し、この後、所定の高さの防水リブ２４によって、開口２３への移動を遮られる（図８参照）。
【００４０】
また、上方（下部ユニット３の受話部側）から異物が内部へ向けて侵入してきた場合は、所定の高さの防水リブ１１及び防水リブ２４によって遮られて、開口９，２３への移動を遮られる（図８参照）。
また、左右側方から異物が内部へ向けて侵入してきた場合は、まず、脚部２９ｂによって、開口９，２３への移動を遮られる（図７参照）。脚部２９ｂによっても遮られず開口９，２３へ向かう異物は、所定の高さの防水リブ１１，２４によって、開口９，２３への移動を遮られる（図８参照）。
【００４１】
こうして、開口９，２３から内部への異物の侵入は回避される。
なお、防水リブ１１及び防水リブ２４は、これらの先端が、それぞれ、下部筐体１３の上記表面及び上部筐体４の上記裏面に接触しないように形成されているので、縮退状態と伸展状態との間で移行させるために、スライド操作を行う際に、防水リブ１１及び防水リブ２４が、下部筐体１３及び上部筐体４に接触することはないので、円滑な摺動操作の妨げになることもない。
【００４２】
このように、この例の構成によれば、縮退状態であっても伸展状態であっても、上部筐体４の開口９の縁部に形成された防水リブ１１と、下部筐体１３の開口２３の縁部に形成された防水リブ２４とが、開口９が形成された上部筐体４の裏面と、開口２３が形成された下部筐体１３の表面との間の僅かな隙間から侵入してきた異物が、それぞれ、開口９、開口２３に入り込むのを防ぐように配置されているので、上部筐体４と下部筐体１３との僅かな隙間から、異物が侵入してきたとしても、防水リブ１１及び防水リブ２４によって、それぞれ、開口９及び開口２３への異物の侵入を阻止することができる。
また、特に側方から侵入した異物は、まず、スライド機構２８を構成する摺動部材２９の脚部２９ｂによっても阻止される。
したがって、水分や塵埃等の異物の上部筐体４及び下部筐体１３内部への侵入を抑制し、防水性及び防塵性を向上させ、故障の発生を未然に防止することができる。
【００４３】
しかも、防水リブ１１及び防水リブ２４は、これらの先端が、それぞれ、下部筐体１３の上記表面及び上部筐体４の上記裏面に接触しないように形成されているので、縮退状態と伸展状態との間で移行させるために、摺動操作を行う際に、防水リブ１１及び防水リブ２４が、下部筐体１３及び上部筐体４に接触することはないので、円滑な摺動操作の妨げになることもない。
【００４４】
さらに、防水リブ１１及び防水リブ２４は、上部筐体４及び下部筐体１３の一部として一体的に成形するので、防水のための部材を新たに必要としない。このため、部品点数を増加させることがないので、材料費等を抑制することができ、組立ても容易に行うことができる。また、従来技術のように、ゴム等の弾性体からなるパッキン部材や、不織布が劣化した場合に交換する必要もなく、防水機能及び防塵機能を維持することができ、信頼性を向上させることができる。
このように、円滑なスライド操作性を確保し、かつ、低コスト化に寄与しつつ、水分や塵埃等の侵入を抑制し、防水性及び防塵性を向上させることができる。
【実施例２】
【００４５】
図１３は、この発明の第２実施例であるスライド型の携帯電話機の構成を示す断面図であって、縮退された状態を示す図、図１４は、図１３のＨ−Ｈ線に沿った断面図、図１５は、同携帯電話機の構成を示す断面図であって、伸展された状態を示す図、図１６は、図１３のＩ部を拡大して示す拡大断面図、図１７は、図１３のＪ部を拡大して示す拡大断面図、図１８は、図１３のＫ−Ｋ線に沿った断面図、また、図１９は、図１３のＬ−Ｌ線に沿った断面図である。
この例が上述した実施例１と大きく異なるところは、環状に形成した防水リブの外側に溝部を防水リブに沿って環状に形成した点である。
これ以外の構成は、上述した実施例１の構成と略同一であるので、その説明を簡略にする。
【００４６】
この例の携帯電話機１Ａは、図１３乃至図１５に示すように、上部ユニット４１と下部ユニット４２とがスライド自在に相互に結合されて構成されている。
上部ユニット４１は、扁平な上部筐体４３と、それぞれ、上部筐体４３に実装された表示部５と、副操作部６と、受話部７とを有してなっている。
また、上部ユニット４１の上部筐体４３内には、表示部５や副操作部６等を構成する各種電子部品が搭載された上部配線基板４４が実装されている。
また、上部筐体４１の裏面側（下部ユニット４２側）には、ＦＰＣ４９を引き出すための開口４５が形成されている。また、開口４５の縁部には、開口４５を囲むように環状に防水リブ４６が下部筐体４７へ向けて突出した状態で形成されている。さらに、防水リブ４６の外側（根元）には、防水リブ４６を囲むように環状溝部４８が形成されている。
なお、この例でも、開口４５の下端縁側（下部ユニット４２の送話部側）の防水リブ４６の手前の領域には凹部４３ａが形成され、防水リブ４６の所定の高さが確保される。
【００４７】
また、下部ユニット４２は、扁平な下部筐体４７と、下部筐体４７にそれぞれ実装された制御部１４と、記憶部１５と、主操作部１６と、アンテナ１７と、無線通信部１８と、送話部１９とを有してなっている。
また、下部ユニット４２の下部筐体４７内には、制御部１４や主操作部１６、無線通信部１８等を構成する各種電子部品が搭載された下部配線基板５１が実装されている。
また、下部筐体４７の表面側（上部ユニット４１側）には、ＦＰＣ４９を引き出すための開口５２が形成されている。また、開口５２の縁部には、開口５２を囲むように環状に防水リブ５３が上部筐体４３へ向けて突出した状態で形成されている。さらに、防水リブ５３の外側（根元）には、防水リブ５３を囲むように環状溝部５４が形成されている。
なお、この例でも、開口５２の下端縁側（送話部側）の防水リブ５３の手前の領域には凹部４７ａが形成され、防水リブ５３の所定の高さが確保される。
【００４８】
上部ユニット４１を構成する上部配線基板４４の裏面（下部ユニット４２側）に取り付けられたコネクタ５６と、下部ユニット４２を構成する下部配線基板５１の表面（上部ユニット４１側）に取り付けられたコネクタ５７とにＦＰＣ４９の両端部が接続される。
なお、防水リブ４６，５３は、上部筐体４３下部筐体４７との摺動変位、及びこの摺動変位に伴うＦＰＣ４９の変形を妨げない態様に、それぞれ、上部筐体４３と下部筐体４７に形成されている。
【００４９】
上部筐体４３と下部筐体４７とは、図１４に示すように、スライド機構５９によってスライド自在に相互に結合されている。
スライド機構５９は、上部筐体４３に取り付けられた金属製の摺動部材６１，６１と、下部筐体４７に取り付けられた金属製の案内部材６２とを有してなっている。
また、摺動部材６１は、側方から水分等の浸入を防ぐ機能や、上部筐体４３と下部筐体４７との互いに対向する面を隔てる所定の僅かな隙間を保つためのスペーサ機能も担っている。
【００５０】
この例の防水構造６４は、開口４５が形成された上部筐体４３の裏面と、開口５２が形成された下部筐体４７の表面との間の僅かな隙間の周縁部から水分や塵埃等の異物が侵入してきた場合に、この異物が、それぞれ、開口４３、開口５２に入り込むのを防ぐように、開口４３、開口５２の縁部に開口４３、開口５２を囲むように、それぞれ、防水リブ４６、防水リブ５３が円環状に設けられ、かつ、防水リブ４６、防水リブ５３の外側には、防水リブ４６、防水リブ５３を囲むように環状溝部４８、環状溝部５４が形成され、さらに、防水リブ４６及び防水リブ５３の先端が、それぞれ、下部筐体４７の上記表面及び上部筐体４３の上記裏面に接触しないように、形成されて概略構成されている。
【００５１】
これにより、上部筐体４３と下部筐体４７との僅かな隙間から、異物が侵入してきたとしても、縮退状態及び伸展状態のいずれの場合でも、異物から見て開口４３及び開口５２の手前に形成されている環状溝部４８、環状溝部５４に先ず入り込んで捕らえられ、この異物がさら開口４３及び開口５２側へ向かおうとするときには、実質的に高さが高くなった防水リブ４６及び防水リブ５３によって、それぞれ、開口４３及び開口５２から上部筐体４３及び下部筐体４７の内部への侵入が阻止される。この例でも、防水リブ４６及び防水リブ５３が、下部筐体４７及び上部筐体４３に接触することはないので、円滑なスライド操作の妨げになることもない。
なお、特に側方から侵入した異物は、まず、スライド機構５９を構成する摺動部材６１の脚部によっても阻止される。
【００５２】
この例の構成によれば、上述した実施例１と略同様の効果を得ることができる。
加えて、防水リブ４６，５３の外側に環状溝部４８，５４を設けたので、環状溝部４８、環状溝部５４に入り込んだ異物を捕らえて開口４５及び開口５２への移動を阻止し、さらに、環状溝部４８、環状溝部５４によって防水リブ４６及び防水リブ５３の実質的な高さが高くなっているので、防水リブ４６及び防水リブ５３によって、開口４３及び開口５２から上部筐体４３及び下部筐体４７の内部への侵入が阻止されるため、防水機能及び防塵機能を一段と向上させることができる。
【実施例３】
【００５３】
図２０は、この発明の第３実施例であるスライド型の携帯電話機の下部筐体の構成を説明するための説明図、また、図２１は、同携帯電話機の上部筐体の構成を説明するための説明図である。
この例が上述した実施例２と大きく異なるところは、環状溝部の所定の部位で分岐させて、筐体の周縁部まで延設させた点である。
これ以外の構成は、上述した実施例２の構成と略同一であるので、その説明を簡略にする。
【００５４】
この例の携帯電話機の上部ユニットは、扁平な上部筐体６５と、それぞれ、上部筐体６５に実装され、液晶表示装置等からなり例えば待受画面や機能設定画面等が表示される表示部５と、縮退状態で操作を行うための副操作部６と、受話音声を出力するスピーカからなる受話部７とを有してなっている。なお、表示部５には、タッチパネルが組み込まれている。
また、上部筐体６５内には、表示部５や副操作部６等を構成する各種電子部品が搭載された上部配線基板が実装されている。
【００５５】
また、上部筐体６５の裏面側（下部ユニット側）には、図２１に示すように、フレキシブル配線板としてのＦＰＣを引き出すための開口６６が形成されている。また、開口６６の縁部には、開口６６を囲むように環状に防水リブ６７が下部筐体７２へ向けて突出した状態で形成されている。
また、防水リブ６７の外側（根元）には、防水リブ６７を囲むように環状溝部６８が形成され、さらに、環状溝部６８の所定の部位から分岐して上部筐体６５の周縁部まで形成され異物を排出するための分岐溝部６９ａ，６９ｂ，６９ｃが設けられている。
なお、この例でも、開口６６の下端縁側（下部ユニットの送話部側）の防水リブ６７及び環状溝部６８の手前の領域には凹部６６ａが形成され、防水リブ６７の所定の高さが確保される。
【００５６】
また、下部ユニットは、扁平な下部筐体７２と、下部筐体７２にそれぞれ実装され、当該携帯電話機本体の構成各部を制御する制御部１４と、制御部１４が実行する処理プログラムや各種データ等を記憶するための記憶部１５と、伸展時に操作面が露出され、数字や文字の入力操作等を行うための多数のキーボタン等を有する主操作部１６と、無線電波の送受信を行うアンテナ１７と、アンテナ１７を介して無線電波を送受信し所定のプロトコルに従って通話やデータ通信を行うために用いられる無線通信部１８と、送話音声を入力するマイクロフォンからなる送話部１９とを有してなっている。
【００５７】
また、下部筐体７２内には、制御部１４や主操作部１６、無線通信部１８等を構成する各種電子部品が搭載された下部配線基板が実装されている。
また、下部筐体７２の表面側（上部ユニット側）には、ＦＰＣを引き出すための開口７３が形成されている。また、開口７３の縁部には、開口７３を囲むように環状に防水リブ７４が上部筐体６５へ向けて突出した状態で形成されている。
また、防水リブ７４の外側（根元）には、防水リブ７４を囲むように環状溝部７５が形成されている。さらに、環状溝部７５の所定の部位から分岐して下部筐体７２の周縁部まで形成され異物を排出するための分岐溝部７６ａ，７６ｂ，７６ｃが設けられている。
なお、この例でも、開口７３の下端縁側（送話部側）の防水リブ７４及び環状溝部７５の手前の領域には凹部７２ａが形成され、防水リブ７４の所定の高さが確保される。
【００５８】
この例の防水構造は、図２０及び図２１に示すように、開口６６が形成された上部筐体６５の裏面と、開口７３が形成された下部筐体７２の表面との間の僅かな隙間の周縁部から水分や塵埃等の異物が侵入してきた場合に、この異物が、それぞれ、開口６６、開口７３に入り込むのを防ぐように、開口６６、開口７３の縁部に開口６６、開口７３を囲むように、それぞれ、防水リブ６７、防水リブ７４が円環状に設けられ、かつ、防水リブ６７、防水リブ７４の外側には、防水リブ６７、防水リブ７４を囲むように環状溝部６８、環状溝部７５が形成され、環状溝部６８の所定の部位から分岐して上部筐体６５の周縁部まで形成され異物を排出するための分岐溝部６９ａ，６９ｂ，６９ｃが設けられ、環状溝部７５の所定の部位から分岐して下部筐体７２の周縁部まで形成され異物を排出するための分岐溝部７６ａ，７６ｂ，７６ｃが設けられ、さらに、防水リブ６７及び防水リブ７４の先端が、それぞれ、下部筐体７２の上記表面及び上部筐体６５の上記裏面に接触しないように、形成されて概略構成されている。
【００５９】
これにより、上部筐体６５と下部筐体７２との僅かな隙間から、異物が侵入してきたとしても、縮退状態及び伸展状態のいずれの場合でも、異物から見て開口６６及び開口７３の手前に形成されている環状溝部６８，７５又は分岐溝部６９ａ，６９ｂ，６９ｃ，７６ａ，７６ｂ，７６ｃに先ず入り込んで捕らえられ、この異物がさらに開口６６及び開口７３側へ向かおうとするときには、実質的に高さが高くなった防水リブ６６及び防水リブ７３によって、それぞれ、開口６６及び開口７３から上部筐体６５及び下部筐体７２の内部への侵入が阻止される。
【００６０】
さらに、環状溝部６８（７５）又は分岐溝部６９ａ，６９ｂ，６９ｃ（７６ａ，７６ｂ，７６ｃ）に捕らえられた異物は、環状溝部６８（７５）が分岐溝部６９ａ，６９ｂ，６９ｃ（７６ａ，７６ｂ，７６ｃ）と連通しており、分岐溝部６９ａ，６９ｂ，６９ｃ（７６ａ，７６ｂ，７６ｃ）が、上部筐体６５（下部筐体７２）の周縁部まで延設されていることにより、上部筐体６５（下部筐体７２）の外部に排出される可能性が高くなる。
この例でも、防水リブ６７及び防水リブ７４が、下部筐体６５及び上部筐体７２に接触することはないので、円滑なスライド操作の妨げになることもない。
【００６１】
この例の構成によれば、上述した実施例２と略同様の効果を得ることができる。
加えて、溝部を筐体の周縁部まで延設したので、水分等の異物が浸入したとしても、排出することが可能となるため、さらに一段と防水性を向上させることができる。
【実施例４】
【００６２】
図２２は、この発明の第４実施例であるスライド型の携帯電話機の構成を示す断面図であって、縮退された状態を示す図、図２３は、図２２のＭ部を拡大して示す拡大断面図、また、図２４は、図２２のＮ部を拡大して示す拡大断面図である。
この例が上述した実施例１と大きく異なるところは、防水リブの先端部を開口に対して外側に向けてＬ字状に屈曲させた点である。
これ以外の構成は、上述した実施例１の構成と略同一であるので、その説明を簡略にする。
【００６３】
この例の携帯電話機１Ｂは、図２２に示すように、上部ユニット７８と下部ユニット７９とがスライド自在に相互に結合されて構成されている。
また、上部ユニット７８の上部筐体８１内には、表示部５や副操作部６等を構成する各種電子部品が搭載された上部配線基板８２が実装されている。
また、上部筐体８１の裏面側（下部ユニット７９側）には、フレキシブル配線板としてのＦＰＣ８３を引き出すための開口８４が形成されている。また、開口８４の縁部には、開口８４を囲むように環状に防水リブ８５が下部筐体８７へ向けて突出した状態で形成されている。この例の防水リブ８５は、図２４に示すように、その先端部が開口８４に対して外側に向けてＬ字状に屈曲させるように形成されている。
なお、開口８４の下端縁側（下部ユニット７９の送話部側）の防水リブ８５の手前の領域には凹部が形成され、防水リブ８５の所定の高さが確保される。
【００６４】
また、下部ユニット７９の下部筐体８７内には、制御部１４や主操作部１６、無線通信部１８等を構成する各種電子部品が搭載された下部配線基板８８が実装されている。
また、下部筐体１３の表面側（上部ユニット２側）には、ＦＰＣ８３を引き出すための開口８９が形成されている。また、開口８９の縁部には、開口８９を囲むように環状に防水リブ９１が上部筐体８１へ向けて突出した状態で形成されている。この例の防水リブ９１は、図２３に示すように、その先端部が開口８４に対して外側に向けてＬ字状に屈曲させるように形成されている。
なお、この例でも、開口８９の下端縁側（送話部側）の防水リブ９１の手前の領域には凹部が形成され、防水リブ９１の所定の高さが確保される。
【００６５】
この例の防水構造は、開口８４が形成された上部筐体８１の裏面と、開口８９が形成された下部筐体８７の表面との間の僅かな隙間の周縁部から水分や塵埃等の異物が侵入してきた場合に、この異物が、それぞれ、開口８４、開口８９に入り込むのを防ぐように、開口８４、開口８９の縁部に開口８４、開口８９を囲むように、それぞれ、先端部が開口８４，８９に対して外側に向けてＬ字状に屈曲した防水リブ８５，９１が円環状に設けられ、かつ、防水リブ８５及び防水リブ９１の先端が、それぞれ、下部筐体８７の上記表面及び上部筐体８１上記裏面に接触しないように、形成されて概略構成されている。
【００６６】
これにより、上部筐体８１と下部筐体８７との僅かな隙間から、異物が侵入してきたとしても、縮退状態及び伸展状態のいずれの場合でも、異物から見て開口８４及び開口８９の手前に形成されている防水リブ８５及び防水リブ９１によって、それぞれ、開口８５び開口８９から上部筐体８１び下部筐体８７の内部への侵入が阻止される。さらに、防水リブ８５，９１の先端部は、開口８４，８９に対して外側に向けてＬ字状に屈曲しているので、異物は、防水リブ８５，９１に到達しても、開口８５，８９へ向かうには、屈曲部位を乗り越えなければならないので、実施例１の場合と比較して、異物の開口８４、開口８９からの内部への侵入は一層困難になる。
ここで、防水リブ８５及び防水リブ９１が、下部筐体８７及び上部筐体８１接触することはないので、円滑なスライド操作の妨げになることもない。
【００６７】
この例の構成によれば、上述した実施例１と略同様の効果を得ることができる。
加えて、リブの先端部をＬ字状としたので、内部への異物の浸入を一段と抑制することができる。
【実施例５】
【００６８】
図２５は、この発明の第５実施例であるスライド型の携帯電話機の下部ユニットの構成を示す図、図２６は、同携帯電話機の上部ユニットの構成を示す図、また、図２７は、同携帯電話機の要部の構成を拡大して示す拡大断面図である。
この例が上述した実施例１と大きく異なるところは、防水リブを開口の周りに２重に設けた点である。
これ以外の構成は、上述した実施例１の構成と略同一であるので、その説明を簡略にする。
【００６９】
図２６に示すように、この例の携帯電話機の上部ユニット９４の上部筐体９５の裏面側（下部ユニット９６側）には、ＦＰＣを引き出すための開口９５ａが形成されている。また、同図に示すように、開口９５ａの縁部には、開口９５ａを囲むように２重の環状に防水リブ９５ｐ，９５ｑが下部筐体９７へ向けて突出した状態で形成されている。
また、図２５に示すように、下部ユニット９６の下部筐体９７の表面側（上部ユニット９５側）には、ＦＰＣを引き出すための開口９７ａが形成されている。また、開口９７ａの縁部には、図２５及び図２７に示すように、開口９７ａを囲むように２重の環状に防水リブ９７ｐ，９７ｑが上部筐体９５へ向けて突出した状態で形成されている。
【００７０】
これにより、上部筐体９５と下部筐体９７との僅かな隙間から、異物が侵入してきたとしても、縮退状態及び伸展状態のいずれの場合でも、異物から見て開口９５ａ及び開口９７ａの手前に形成されている防水リブ９５ｐ，９５ｑ及び防水リブ９７ｐ，９７ｑによって、それぞれ、開口９５ａび開口９７ａから上部筐体９５び下部筐体９７の内部への侵入が阻止される。異物は、開口９５ａ，９７ａへ向かうには、防水リブ９５ｐ，９５ｑ及び防水リブ９７ｐ，９７ｑを乗り越えなければならないので、実施例１の場合と比較して、異物の開口９５ａ、開口９７ａからの内部への侵入は一層困難になる。
【００７１】
この例の構成によれば、上述した実施例１と略同様の効果を得ることができる。
加えて、防水リブを開口の周りに２重に設けたので、内部への異物の浸入をさらに一段と抑制することができる。
【００７２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、筐体の長さ方向に沿ってスライドさせる場合について述べたが、これに限らず、幅方向に沿ってスライド可能なように構成しても良い。
また、案内部材及び摺動部材の組合せ（スライダ）による摺動に限らず、例えば、ラックとピニオンとを用いて、互いに変位させるように構成しても良い。この場合、モータを用いて自動的にスライド操作可能なように構成しても良い。また、スライド機構の溝部は、断面コ字状に限らず、楔状として抜止機能を持たせるようにしても良い。
【００７３】
また、ＦＰＣをコネクタを用いずに、その端部を半田（熱圧着）によって、上部配線基板やに下部配線基板に直接接続しても良い。
また、実施例２及び実施例３では、筐体内に実装された部品の配置状態等に応じて、溝部の断面積が、可能な限り大きくなるように、溝部の深さや幅を大きく設定して、異物を捕らえる確率や排出される確率を高めるようにしても良い。
また、実施例２及び実施例３においても、先端部をＬ字状に形成した防水リブを採用するようにしても良い。また、環状溝部を多重に形成するようにしても良い。
【００７４】
また、実施例３で、携帯電話機を例えば水平に保持した場合に、水分等を排出し易くするために、底面が、筐体の周縁部へ向けて低くなるように傾斜させて分岐溝部を形成するようにしても良い。
また、実施例４で、防水リブの先端部の形状はＬ字状に限らず渦巻状等他の形状としても良いし、Ｌ字状の場合でも、その先端の長さやリブの高さを、筐体内に実装された部品の配置状態等に応じて、可能な限り、長く又は高く設定するようにしても良い。
例えば、防水リブの先端部を開口に対して外側に向けて屈曲させ、かつ、先端の長さを比較的長くして庇状としても良い。これにより、上部筐体と下部筐体との僅かな隙間から、異物が侵入してきたとしても、縮退状態及び伸展状態のいずれの場合でも、異物から見て開口の手前に形成されている防水リブによって、開口から上部筐体び下部筐体の内部への侵入が阻止される。さらに、防水リブの先端部は、開口に対して外側に向けて屈曲していると共に、庇状とされているので、異物は、防水リブに到達しても、開口へ向かうには、庇状の屈曲部位を乗り越えなければならないので、異物の開口からの内部への侵入はより一層困難になる。したがって、内部への異物の浸入をさらに一段と抑制することができる。
また、実施例５で、防水リブを２重に限らず、３重以上の多重に設けるようにしても良い。
【産業上の利用可能性】
【００７５】
携帯型電子機器としては、携帯電話機のほか、データ通信機能を有するＰＨＳ端末や、ＰＤＡ、携帯型のコンピュータを用いる場合に適用できる。
【図面の簡単な説明】
【００７６】
【図１】この発明の第１実施例であるスライド型の携帯電話機の構成を示す正面図であって、縮退された状態を示す図である。
【図２】同携帯電話機の構成を示す側面図であって、縮退された状態を示す図である。
【図３】同携帯電話機の構成を示す正面図であって、伸展された状態を示す図である。
【図４】同携帯電話機の構成を示す側面図であって、伸展された状態を示す図である。
【図５】同携帯電話機の構成を示すブロック図である。
【図６】図１のＡ−Ａ線に沿った断面図である。
【図７】図１のＢ−Ｂ線に沿った断面図である。
【図８】図３のＣ−Ｃ線に沿った断面図である。
【図９】図６のＦ部を拡大して示す拡大断面図である。
【図１０】図６のＧ部を拡大して示す拡大断面図である。
【図１１】図２のＤ−Ｄ線に沿った断面図である。
【図１２】図２のＥ−Ｅ線に沿った断面図である。
【図１３】この発明の第２実施例であるスライド型の携帯電話機の構成を示す断面図であって、縮退された状態を示す図である。
【図１４】図１３のＨ−Ｈ線に沿った断面図である。
【図１５】同携帯電話機の構成を示す断面図であって、伸展された状態を示す図である。
【図１６】図１３のＩ部を拡大して示す拡大断面図である。
【図１７】図１３のＪ部を拡大して示す拡大断面図である。
【図１８】図１３のＫ−Ｋ線に沿った断面図である。
【図１９】図１３のＬ−Ｌ線に沿った断面図である。
【図２０】この発明の第３実施例であるスライド型の携帯電話機の下部筐体の構成を説明するための説明図である。
【図２１】同携帯電話機の上部筐体の構成を説明するための説明図である。
【図２２】この発明の第４実施例であるスライド型の携帯電話機の構成を示す断面図であって、縮退された状態を示す図である。
【図２３】図２２のＭ部を拡大して示す拡大断面図である。
【図２４】図２２のＮ部を拡大して示す拡大断面図である。
【図２５】この発明の第５実施例であるスライド型の携帯電話機の下部ユニットの構成を示す図である。
【図２６】同携帯電話機の上部ユニットの構成を示す図である。
【図２７】同携帯電話機の要部の構成を拡大して示す拡大断面図である。
【図２８】従来のスライド型の携帯電話機の構成を示す正面図であって、伸張された状態を示す図である。
【図２９】同携帯電話機の構成を示す断面図であって、縮退された状態を示す図である。
【図３０】図２９のＰ−Ｐ線に沿った断面図である。
【図３１】図２８のＱ−Ｑ線に沿った断面図である。
【符号の説明】
【００７７】
１，１Ａ，１Ｂ      携帯電話機（携帯型電子機器）
２，４１，７８，９４      上部ユニット
３，４２，７９，９６      下部ユニット
４，４３，６５，８１，９５      上部筐体（第１の筐体）
８，４４，８２      上部配線基板（第１の回路部の一部）
９，４５，６６，８４，９５ａ      開口（第１の開口）
１１，４６，６７，８５，      防水リブ（第１の障壁部）
１３，４７，７２，８７，９７      下部筐体（第２の筐体）
２１，５１，８８      下部配線基板（第２の回路部の一部）
２２，４９，８３      ＦＰＣ（フレキシブル配線板）
２３，５２，７３，８９，９７ａ      開口（第２の開口）
２４，５３，７４，９１，      防水リブ（第２の障壁部）
２８，５９      スライド機構
３１，６４      防水構造（携帯型電子機器の防水構造）
４８，６８      環状溝部（第１の環状溝部）
５４，７５      環状溝部（第２の環状溝部）
６９ａ，６９ｂ，６９ｃ      分岐溝部（第１の分岐溝部）
７６ａ，７６ｂ，７６ｃ      分岐溝部（第２の分岐溝部）
９５ｐ，９５ｑ      防水リブ（第１の環状障壁群の一部）
９７ｐ，９７ｑ      防水リブ（第２の環状障壁群の一部）
【図１】
2006157465.tif 000003
【図２】
2006157465.tif 000004
【図３】
2006157465.tif 000005
【図４】
2006157465.tif 000006
【図５】
2006157465.tif 000007
【図６】
2006157465.tif 000008
【図７】
2006157465.tif 000009
【図８】
2006157465.tif 000010
【図９】
2006157465.tif 000011
【図１０】
2006157465.tif 000012
【図１１】
2006157465.tif 000013
【図１２】
2006157465.tif 000014
【図１３】
2006157465.tif 000015
【図１４】
2006157465.tif 000016
【図１５】
2006157465.tif 000017
【図１６】
2006157465.tif 000018
【図１７】
2006157465.tif 000019
【図１８】
2006157465.tif 000020
【図１９】
2006157465.tif 000021
【図２０】
2006157465.tif 000022
【図２１】
2006157465.tif 000023
【図２２】
2006157465.tif 000024
【図２３】
2006157465.tif 000025
【図２４】
2006157465.tif 000026
【図２５】
2006157465.tif 000027
【図２６】
2006157465.tif 000028
【図２７】
2006157465.tif 000029
【図２８】
2006157465.tif 000030
【図２９】
2006157465.tif 000031
【図３０】
2006157465.tif 000032
【図３１】
2006157465.tif 000033